(57)【要約】【課題】従来のステレオ再生装置、ＣＤラジカセ装置などの音響装置では、音量調節用のボリューム調節部のつまみとスピーカの音響放射部とは、別々に設置されていたため、それぞれの配置場所を必要とし、小型化に対して制約となっており、かつ、音量の調節時に音を感じることができなかった。【解決手段】ボリューム調節部のつまみに中空部を有し、中空部から音を出力するスピーカを有する音響装置、スピーカ一体型のプレーヤで、縦幅が横幅より長い形状の音響装置、筐体がブックサイズであることを特徴とする音響装置、スピーカの周りにボリューム調節部のつまみが存在することを特徴とする音響装置、ボリューム調節部のつまみが円筒形であることを特徴とする音響装置とし、スピーカから出力される音が重低音とし、筐体がブックエンドとしても使用できる音響装置とする。【選択図】　図１
2004112258.tif 000002
【特許請求の範囲】
【請求項１】
中空部を有するボリューム調節部を具備し、当該中空部からスピーカーの音を出力する音響装置。
【請求項２】
スピーカー一体型のプレーヤで、縦幅が横幅より長い形状の音響装置。
【請求項３】
筐体がブックサイズであることを特徴とする請求項１または請求項２いずれか記載の音響装置。
【請求項４】
スピーカーの周りにボリューム調節部のつまみが存在することを特徴とする請求項１または請求項２いずれか記載の音響装置。
【請求項５】
ボリューム調節部のつまみが円筒形であることを特徴とする請求項１または請求項２いずれか記載の音響装置。
【請求項６】
前記スピーカーから出力される音が重低音であることを特徴とする請求項１または請求項２いずれか記載の音響装置。
【請求項７】
スピーカー部を筐体に接する上部に具備し、当該スピーカー部は前記筐体に対して回転する構造を有する請求項１から請求項６いずれか記載の音響装置。
【発明の詳細な説明】
【０００１】
【発明の属する技術分野】
本発明は、音響を発生する装置に関し、従来にない操作感と、新規な外観を楽しむことができる音響装置に関する。
【０００２】
【従来の技術】
従来のステレオ再生装置、ＣＤラジカセ装置などの音響装置では、音量調節用のボリューム調節部のつまみとスピーカーの音響放射部とは、別々に設置されていた。
【０００３】
【発明が解決しようとする課題】
従来のステレオ再生装置、ＣＤラジカセ装置などの音響装置では、音量調節用のボリューム調節部のつまみとスピーカーの音響放射部とは、別々に設置されていたため、それぞれの配置場所を必要とし、小型化に対して制約となっていた。また、音量の調節時に音を感じることができなかった。
【０００４】
【課題を解決するための手段】
上記の課題を解決するために、本発明の音響装置は、以下のような手段を採用する。
（１）ボリューム調節部のつまみに中空部を有し、スピーカーが中空部から音を出力するようにすることにより、音を感じながら音量調節ができる。
（２）スピーカー一体型のプレーヤで、縦幅が横幅より長い形状にすることにより、本棚に収まり、生活の中で音を感じる音響装置を提供できる。
（３）筐体が特に、ブックサイズであることにより、本棚に収まり、生活の中で音を感じる音響装置を提供できる。
（４）スピーカーの周りにボリューム調節部のつまみが存在するようにする。
（５）ボリューム調節部のつまみが円筒形であるようにする。
（６）スピーカーから出力される音が重低音であるようにする。
（７）スピーカー部を筐体に接する上部に具備し、当該スピーカー部は筐体に対して回転する構造を有する音響装置により、本棚に収めた場合に、より生活の中で音を感じる音響装置を提供できる。
【０００５】
【発明の実施の形態】
（実施の形態１）
【０００６】
図１は、本発明の音響装置の外観図である。図１において、１０は、音響装置の筐体であり、縦幅が横幅より長い形状、たとえばブックサイズの形状であり、その内部に、後述する低音や重低音の発生を担当するスピーカー部、ＣＤのような音楽メディアを再生するディスク再生部、パワーアンプ部、電源部などを内蔵している。１１は、再生音量を調節するボリューム調節部のつまみである。つまみ１１の中心部には中空部１２が形成されており、低音や重低音は、この中空部１２から放音される。１３、１４は、中高音をステレオ再生する中高音用スピーカー部であり、筐体１０の上部に取り付けられている。筐体１０の前面には、ＣＤの挿入口や、選曲ボタン、曲番号などの表示部などが設けられる。図１において、音響装置のサイズは、幅８０ｍｍぐらい、筐体１０の高さは２７０ｍｍぐらい、中高音用スピーカー部１３、１４の筐体の高さは３０ｍｍぐらいが好適である。また、ブックサイズとは、通常の本棚に並べて違和感のない大きさであり、例えば、高さ約２８０ｍｍ、幅約６５ｍｍ、奥行き約２００ｍｍなどである。
【０００７】
図２は、低音用のスピーカー部、放音口、つまみの構造を示す断面図である。図２において、２０は、低音用スピーカボックスである。低音用スピーカボックス２０の上部には、ディスク再生部、パワーアンプ部、電源部などを収納している。スピーカボックス２０の内部には、穴２３を開けたバッフル板２２が設けられ、バッフル板２２上に低音用スピーカー２１が取り付けられている。筐体の幅が小さい場合、スピーカー２１は楕円スピーカーが好ましい。スピーカボックス２０の前面には、短いパイプ状のダクト２４が設けられ、その中空部２５が低音、重低音の放音口になっている。ダクト２４の周囲には、つまみ２６が設けられている。つまみ２６は、ダクト２４の周りで回転可能になっている。つまみ２６は、可変抵抗器に連動されるか、可変抵抗器を内蔵しており、音量調節ができる。スピーカー２１の前面部と後面部のキャビネット容積、ダクト２４の中空部２５の容積、スピーカー２１の振動系の質量、コンプライアンスなどにより、低音部、重低音部の周波数特性を適正に設計することができる。
【０００８】
図３は、低音用のスピーカー部、放音口、つまみの構造の別の例を示す断面図である。スピーカボックス２０の後部にバスレフ用のポート２７が設けられる。スピーカボックス２０の前面には、短いパイプ状のダクト２４が設けられ、中空部２５が低音、重低音の放音口になっている。ダクト２４、中空部２５の内側には、低音用スピーカー２１が取り付けられている。ダクト２４の周囲には、つまみ２６が設けられている。つまみ２６は、ダクト２４の周りで回転可能になっている。つまみ２６は、可変抵抗器に連動されるか、可変抵抗器を内蔵しており、音量調節ができる。スピーカボックス２０の容積、ポート２７の容積、中空部２５の容積、スピーカー２１の振動系の質量、コンプライアンスなどにより、低音部、重低音部の周波数特性を適正に設計することができる。
【０００９】
図４は、中空部２５を有するつまみ２６の第一の例の構造を説明する図である。図４のボリューム調節部をボリューム調節部（Ａ）とする。ボリューム調節部（Ａ）は、筐体１０の前面板３０の下部に、パイプ状の突起部を設ける。ボリュームのつまみ３１は、パイプ状で片側（筐体外部側）が肉厚になって溝を形成しており、その溝は、筐体１０のパイプ状突起部に勘合し、かつ滑らかに回転できるようになっている。つまみ３１の筐体内部側には、歯車３２が設けられ、つまみ３１が外れるのを防止する。３４は、可変抵抗器の本体で、金具（図示しない）などにより、前面板３０に取り付けられている。可変抵抗器３４の回転軸３５には歯車３３が設けられており、歯車３２の回転が伝わる。このような構造により、つまみ３１を回転操作すると、可変抵抗器３４の回転軸３５が回り、音量の調節ができることになる。
【００１０】
図５は、中空部２５を有するつまみ２６の第二の例の構造を説明する図である。図５のボリューム調節部をボリューム調節部（Ｂ）とする。ボリューム調節部（Ｂ）は、つまみ３１と可変抵抗器とを一体にしたものである。パイプ状の基体部３７には、円周状に溝が切ってある。つまみ３１は、基体部３７にかぶさるように逆Ｌ型の断面を有するパイプ形状であり、その内面に三角状の断面を有する円環状の突起部を有し、この突起部が基体３７の溝にはめ込まれ、つまみ３１が基体３７の周囲を滑らかに回転できるようになっている。基体３７の表面には、抵抗体４０、４１が円周状に約２７０度にわたり塗布されている。つまみ３１の内部には、バネ状の金属接点４２が固定されており、抵抗体４０、４１に当接している。つまみ３１を回転させると、金属接点４２が抵抗体４０、４１と当接する位置が変わる。抵抗体展開図は、約２７０度に塗布された抵抗体４０、４１と金属接点４２とを平面的に展開した図である、４３は、各抵抗体の一端から引き出された導線である。金属接点４２は、つまみ３１の回転にしたがって、抵抗体４０、４１の長手方向を移動するので、その位置が変わり、導線４３の間の抵抗値が変化する。このように、可変抵抗器と一体化されたつまみ３１の基体部３７を、筐体１０の前面板３０の下部に設けたパイプ状の突起部にはめ込んで固定する。導線４３は、前面板３０を貫通させて、筐体１０の内部に導き、ボリューム調節用の回路に接続する。
【００１１】
上記例において説明したように、筐体１０を、縦幅が横幅より長い形状、典型的にはブックサイズとしたので、本発明の音響装置は、本棚上の書物の間に並べておくことができる。そのために、本や本棚の中から音が出力されるので、ユーザは、生活の中で自然に音を感じることができる。また、かかる音響装置は、斬新なインテリアとして使用できる。書物の端や中間に配置することにより、ブックエンドとしても使用できる。ブックエンドにする場合は、筐体の底面に、重量のある底板を設けるようにしてもよい。また、底面の左右又は片側に底板を張り出すようにして、書物を載せて、倒れにくくしてもよい。
【００１２】
（実施の形態２）
図２の断面図（Ａ）において、ダクト２４にパッシブ振動版を設けて、ケルトン型のスピーカー方式にすると、重低音の効率を増強することができる。
【００１３】
図２の断面図（Ｂ）において、スピーカー２１の背後のポート２７を省き、スピーカキャビネットの上部板を省き、後部板を穴明き板として、開放型キャビネットにしてもよい。
【００１４】
中空部２５を、バスレフ方式キャビネットのポートとして使用してもよい。この場合は、スピーカー２１は、低音用スピーカボックス２０の後面などに配置される。
【００１５】
中空部２５の中にスピーカーを配置して、その回りにボリューム調節部のつまみを設けるようにしてもよい。
【００１６】
可変抵抗器には、従来から、平面上に円環状の抵抗体を設けるもの、発光ダイオードの光と光導電体を使った可変抵抗、など種々のものがあるが、これらを、本発明の中空部を有するつまみ１１、２６、３１に組み合わせることが可能である。可変抵抗器の変わりに、つまみの回転角度に応じたデジタル値を出力するデジタルポテンショメータを使用して、デジタル的に音量を可変してもよい。
【００１７】
なお、音響装置の形状は、図６のように、中心部が細くなっている形状でもよい。かかる形状もブックサイズの範疇に入る、とする。
【００１８】
また、音響装置の中高音用スピーカー部１３、１４の筐体１３１は、音響装置の本体部の筐体１０に対して、回転する機構を有していることが好ましい（図７参照）。図７によれば、（Ａ）の音響装置の中高音用スピーカー部１３、１４が前向きであるのに対して、（Ｂ）、（Ｃ）は、それぞれ中高音用スピーカー部１３、１４の筐体１３１が右周り（上から見たときに）に回転した図である。
【００１９】
回転する中高音用スピーカー部１３、１４の筐体１３１を有する音響装置を本棚に設置した場合に、本棚の前側からでも、本棚の後側からでも音楽等を聴くことができる。つまり、生活の中で音を感じる、という感覚がさらに高まる。なお、回転するスピーカー部は、中高音用のスピーカー部でなくても良い。つまり、スピーカー部を筐体に接する上部に具備し、当該スピーカー部は筐体に対して回転する構造を有する音響装置であれば良い。さらに、図６の形状の音響装置の中高音用スピーカー部１３、１４の筐体１３１が回転したが、図１の形状の音響装置の中高音用スピーカー部１３、１４の筐体１３１が回転しても良い。
【発明の効果】
以上のように、本発明によれば、音を生活の中で感じる音響装置を提供できる。
【図面の簡単な説明】
【図１】実施の形態１における音響装置の外観図
【図２】実施の形態１における音響装置に用いる、低音用のスピーカー部、放音口、つまみの構造を示す図
【図３】実施の形態１における音響装置に用いる、低音用のスピーカー部、放音口、つまみの構造を示す図
【図４】実施の形態１における音響装置に用いる、つまみと可変抵抗器の構造示す図
【図５】実施の形態１における音響装置に用いる、つまみと可変抵抗器の構造示す図
【図６】実施の形態２における音響装置の外観図
【図７】実施の形態２における回転するスピーカー部を具備する音響装置の外観図
【符号の説明】
１０　筐体
１１　中空部
１２　つまみ
１３、１４　中高音用スピーカー部
２０　低音用スピーカボックス
２１　低音用スピーカー
２５　中空部
２６　つまみ
３１　つまみ
【図１】
2004112258.tif 000003
【図２】
2004112258.tif 000004
【図３】
2004112258.tif 000005
【図４】
2004112258.tif 000006
【図５】
2004112258.tif 000007
【図６】
2004112258.tif 000008
【図７】
2004112258.tif 000009